(57)【要約】【課題】デジタルテレビで放送される広告をインターネットと連動させ、テレビに接続される機器に最適化して配信する。【解決手段】インターネットと連動するテレビ受信機であって、テレビ受信機に接続される機器を利用したテレビ放送広告システム。【選択図】        図１
2004186847.tif 000002
【特許請求の範囲】
【請求項１】
ネットワーク上の情報と連動するテレビ受信装置において、前記テレビ受信装置が受信装置自体に接続される周辺機器に関する各種情報を蓄積する手段と、
各提供者からアップロードされたコンテンツを蓄積するコンテンツサーバ蓄積手段と、
前記コンテンツサーバ上にテレビ受信装置に接続される周辺機器に関する各種情報を蓄積する手段と、
放送局から放送波でテレビ受信装置へＵＲＬを埋め込む放送手段と、
前記ＵＲＬを埋め込む放送手段による放送波をテレビ受信装置において受信し、ＵＲＬ情報を識別する手段と、
前記ＵＲＬ情報と、前記テレビ受信装置が受信装置自体に接続される周辺機器に関する各種情報を、前記コンテンツサーバへ送信する手段と、
前記送信された周辺機器に関する各種情報と、前記コンテンツサーバ上に蓄積された周辺機器に関する各種情報を比較して該当する周辺機器情報を抽出する手段と、
前記抽出された周辺機器情報と、前記ＵＲＬ情報により前記コンテンツサーバからデータを取得する手段と、
前記データを前記周辺機器情報に対応したフォーマットにデータ変換する手段と、
前記変換されたデータをコンテンツサーバからネットワーク上を介してテレビ受信装置へダウンロードする手段と、
前記ダウンロードされた変換されたデータを、前記テレビ受信装置に接続される周辺機器に転送する手段とを有することを特徴とするシステム。
【請求項２】
前記テレビ受信装置に接続される周辺機器は、プリンタ、携帯電話、ＰＤＡであることを特徴とする、請求項１に記載のシステム。
【請求項３】
前記テレビ受信装置に接続される周辺機器に関する各種情報は、解像度情報、紙サイズ情報、フォント情報であることを特徴とする請求項２に記載のシステム。
【請求項４】
前記テレビ受信装置へダウンロードされた回数をコンテンツサーバ上で集計する手段と、ダウンロードされた回数により前記放送局が前記各提供者へ広告料金を請求する手段を有することを特徴とする、請求項１に記載のシステム。
【請求項５】
ネットワーク上の情報と連動するテレビ受信装置において、前記テレビ受信装置が受信装置自体に接続される周辺機器に関する各種情報を蓄積する手段と、
各提供者からアップロードされたコンテンツを蓄積するコンテンツサーバ蓄積手段と、
前記コンテンツサーバ上にテレビ受信装置に接続される周辺機器に関する各種情報に応じた種類分の複数のコンテンツを蓄積する手段と、
放送局から放送波でテレビ受信装置へＵＲＬを埋め込む放送手段と、
前記ＵＲＬを埋め込む放送手段による放送波をテレビ受信装置において受信し、ＵＲＬ情報を識別する手段と、
前記ＵＲＬ情報と、前記テレビ受信装置が受信装置自体に接続される周辺機器に関する各種情報を、前記コンテンツサーバへ送信する手段と、
前記ＵＲＬ情報と、前記テレビ受信装置が受信装置自体に接続される周辺機器に関する各種情報に対応したデータをコンテンツサーバからネットワーク上を介してテレビ受信装置へダウンロードする手段と、
前記ダウンロードされたデータを、前記テレビ受信装置に接続される周辺機器に転送する手段とを有することを特徴とするシステム。
【請求項６】
前記テレビ受信装置に接続される周辺機器は、プリンタ、携帯電話、ＰＤＡであることを特徴とする、請求項５に記載のシステム。
【請求項７】
前記テレビ受信装置に接続される周辺機器に関する各種情報は、解像度情報、紙サイズ情報、フォント情報であることを特徴とする請求項６に記載のシステム。
【請求項８】
前記テレビ受信装置へダウンロードされた回数をコンテンツサーバ上で集計する手段と、ダウンロードされた回数により前記放送局が前記各提供者へ広告料金を請求する手段を有することを特徴とする、請求項５に記載のシステム。
【発明の詳細な説明】
【０００１】
【発明の属する技術分野】
インターネットと連動するテレビ受信機であって、テレビ受信機に接続される機器を利用したテレビ放送広告システムに関する。
【０００２】
【従来の技術】
テレビ放送広告は多数の視聴者に対して一定期間に広範囲な地域で露出することが出来るため企業イメージや概略の商品、販売店情報を伝達するには効果的であった。
【０００３】
印刷広告媒体の新聞広告、新聞に織り込まれるチラシ、雑誌などは放送ほどの露出度はないが、放送では伝えきれない多くの文字、図形、写真などの情報が伝えられる上、地域や読者層など対象視聴者を絞りこんで伝えられるという利点があった。
【０００４】
またインターネットを利用してＰＣで見る広告も普及しつつある。
【０００５】
【発明が解決しようとする課題】
テレビ放送広告は電波を利用するため、特定の狭い地域を対象とした情報を詳細に伝えるには不向きである。特にスーパーなどの広告は視聴者の近隣商店の細かい商品情報が必要であり、短時間でしか紹介できないテレビのスポット広告では店舗別の販売情報は紹介できなかった。
【０００６】
またテレビ放送広告の制作には印刷物に比べ多大の時間と費用がかかるため、日、時間などの短い期間の単位で変化する販売情報をタイムリーに放送することにも不向きであった。
【０００７】
新聞の折り込チラシは新聞配送店単位で管理できるため、細かい地域別の対応が出来るが、それでもさらに短い時間単位、例えばタイムサービスなどのリアルタイムな情報の更新は出来なかった。
【０００８】
またこれらの媒体では一方的に情報を広告主から流すだけであり、どれだけの視聴者や読者が広告を見たかという宣伝効果を把握するのは容易ではなかった。
【０００９】
近年インターネットの普及に伴いＰＣによる広告が普及しつつあるが、インターネットは視聴者が自分で欲しい情報に能動的にアクセスする必要がうえ上、求める情報がどこにあるかを探すのは容易ではない。またインターネットへの接続や最低限のＰＣ機器操作を覚える必要があるためテレビ、新聞のように誰でも見られるものではない。
【００１０】
衛星デジタル放送などのデジタルテレビでは映像や音声と同時にプログラムやデータを放送することができる。インターネットに接続できるテレビ受信機であれば映像で商品や商店の概略情報を放送し、それらに関する詳細なデータが蓄積されたネットワーク上のＵＲＬデータを放送し、受信機が自動的にインターネットからダウンロードする方式が考えられる。（または事前にハードディスクなのに蓄積されていてもよい。
【００１１】
特開２００１−２０４００５（松下：「コンテンツ提供システムおよびそこで用いられる端末装置」）ではテレビ画面に表示する情報を放送（番組）とネットワーク上に蓄積されたＣＭと相互に関連付けて提供する提案がなされている。これによって地域や時間別のＣＭをテレビ放送と連動させて配信することが出来る、しかしながら、特開２００１−２０４００５ではテレビに表示される情報のダウンロードは出来るがプリンタ、ＰＤＡ、ゲーム端末等の周辺機の接続を想定していない。接続機器固有の機種・仕様情報を判別することが出来ないため接続機種で使用できるコンテンツをダウンロードし活用することが出来ない。
【００１２】
【課題を解決するための手段】
第１の発明は、ネットワーク上の情報と連動するテレビ受信装置において、前記テレビ受信装置が受信装置自体に接続される周辺機器に関する各種情報を蓄積する手段と、各提供者からアップロードされたコンテンツを蓄積するコンテンツサーバ蓄積手段と、前記コンテンツサーバ上にテレビ受信装置に接続される周辺機器に関する各種情報を蓄積する手段と、放送局から放送波でテレビ受信装置へＵＲＬを埋め込む放送手段と、前記ＵＲＬを埋め込む放送手段による放送波をテレビ受信装置において受信し、ＵＲＬ情報を識別する手段と、前記ＵＲＬ情報と、前記テレビ受信装置が受信装置自体に接続される周辺機器に関する各種情報を、前記コンテンツサーバへ送信する手段と、前記送信された周辺機器に関する各種情報と、前記コンテンツサーバ上に蓄積された周辺機器に関する各種情報を比較して該当する周辺機器情報を抽出する手段と、前記抽出された周辺機器情報と、前記ＵＲＬ情報により前記コンテンツサーバからデータを取得する手段と、前記データを前記周辺機器情報に対応したフォーマットにデータ変換する手段と、前記変換されたデータをコンテンツサーバからネットワーク上を介してテレビ受信装置へダウンロードする手段と、前記ダウンロードされた変換されたデータを、前記テレビ受信装置に接続される周辺機器に転送する手段とを有することにより、視聴者はテレビ放送広告を見ることで地域別・時間別などの詳細情報が受信機に接続された機器で利用でき、プリントしたりＰＤＡなどで保存して情報を持ち歩きなどが出来るようになり、書きとめたりチラシを切り抜いたりする手間が省ける。
【００１３】
又、広告主はテレビ広告の内容を変更することなくリアルタイムな情報をインターネットで告知できるのでタイムリーな販売促進が行える。
【００１４】
又、時間や地域で広告内容を変更したデータをサーバにアップロードするだけなので広告制作費が削減できる。
【００１５】
第２の発明は、第１の発明において、前記テレビ受信装置に接続される周辺機器は、プリンタ、携帯電話、ＰＤＡであることにより、受信機に接続された各種機器に利用することができる。
【００１６】
第３の発明は、第２の発明において、前記テレビ受信装置に接続される周辺機器に関する各種情報は、解像度情報、紙サイズ情報、フォント情報であることにより、各種プリンタに対応したコンテンツデータがテレビ受信装置にダウンロードされる。
【００１７】
第４の発明は、第１の発明において、前記テレビ受信装置へダウンロードされた回数をコンテンツサーバ上で集計する手段と、ダウンロードされた回数により前記放送局が前記各提供者へ広告料金を請求することにより、視聴者のダウンロード数がわかるため広告の効果を迅速に知ることが可能になり効果的な広告が行え、また、放送局が、コンテンツ提供者から広告料金を得ることができる。
【００１８】
第５の発明は、ネットワーク上の情報と連動するテレビ受信装置において、前記テレビ受信装置が受信装置自体に接続される周辺機器に関する各種情報を蓄積する手段と、各提供者からアップロードされたコンテンツを蓄積するコンテンツサーバ蓄積手段と、前記コンテンツサーバ上にテレビ受信装置に接続される周辺機器に関する各種情報に応じた種類分の複数のコンテンツを蓄積する手段と、放送局から放送波でテレビ受信装置へＵＲＬを埋め込む放送手段と、前記ＵＲＬを埋め込む放送手段による放送波をテレビ受信装置において受信し、ＵＲＬ情報を識別する手段と、前記ＵＲＬ情報と、前記テレビ受信装置が受信装置自体に接続される周辺機器に関する各種情報を、前記コンテンツサーバへ送信する手段と、前記ＵＲＬ情報と、前記テレビ受信装置が受信装置自体に接続される周辺機器に関する各種情報に対応したデータをコンテンツサーバからネットワーク上を介してテレビ受信装置へダウンロードする手段と、前記ダウンロードされたデータを、前記テレビ受信装置に接続される周辺機器に転送する手段とを有することにより、視聴者はテレビ放送広告を見ることで地域別・時間別などの詳細情報が受信機に接続された機器で利用でき、プリントしたりＰＤＡなどで保存して情報を持ち歩きなどが出来るようになり、書きとめたりチラシを切り抜いたりする手間が省ける。
【００１９】
又、広告主はテレビ広告の内容を変更することなくリアルタイムな情報をインターネットで告知できるのでタイムリーな販売促進が行える。
【００２０】
又、時間や地域で広告内容を変更したデータをサーバにアップロードするだけなので広告制作費が削減できる。
【００２１】
第６の発明は、第５の発明において、前記テレビ受信装置に接続される周辺機器は、プリンタ、携帯電話、ＰＤＡであることにより、受信機に接続された各種機器に利用することができる。
【００２２】
第７の発明は、第６の発明において、前記テレビ受信装置に接続される周辺機器に関する各種情報は、解像度情報、紙サイズ情報、フォント情報であることにより、各種プリンタに対応したコンテンツデータがテレビ受信装置にダウンロードされる。
【００２３】
第８の発明は、第５の発明において、前記テレビ受信装置へダウンロードされた回数をコンテンツサーバ上で集計する手段と、ダウンロードされた回数により前記放送局が前記各提供者へ広告料金を請求することにより、視聴者のダウンロード数がわかるため広告の効果を迅速に知ることが可能になり効果的な広告が行え、また、放送局が、コンテンツ提供者から広告料金を得ることができる。
【００２４】
【発明の実施の形態】
以下、本発明の実施の形態について、図面を参照しながら説明する。
【００２５】
（第１の実施形態）
図１は、本発明の実施形態に係るインターネットと連動したテレビ放送広告システムの構成を示すブロック図であり、テレビ受信装置に接続される周辺機器に関する各種情報に応じた種類分の複数のコンテンツを蓄積する場合のブロック図である。
【００２６】
図１において、インターネットと連動したテレビ放送広告システムは、放送局１０１と、デジタルＴＶ受信機１０２と、ＰＤＡ１０３と、携帯電話１０４と、ゲーム機１０５と、プリンタ１０６と、コンテンツサーバ１０７と、周辺機器に関する各種情報に応じた種類分の複数のコンテンツ群１０８と、機種データ１０９と、データ変換サーバ１１０と、広告主１１１と、接続機器情報１１２で構成される。
【００２７】
デジタルＴＶ受信機１０２に、接続機器情報１１２が格納されている。
【００２８】
接続機器情報としては、例えば、プリンタであれば、機種名、解像度、紙サイズ、フォント種類、フォントサイズ等が格納されている。
【００２９】
また、デジタルＴＶ受信機１０２には、有線回線、無線回線などを介して、ＰＤＡ１０３と、携帯電話１０４と、ゲーム機１０５と、プリンタ１０６等の周辺機器が接続される。
【００３０】
コンテンツサーバ１０７に、周辺機器に関する各種情報に応じた種類分の複数のコンテンツ群１０８と、機種データ１０９が格納される。
【００３１】
次に、図１に従って、動作の説明をする。
【００３２】
広告主１１１はデータ変換サーバ１１０へコンテンツデータをアップロードする。
【００３３】
アップロードは、常に可能で、新しい情報を更新可能であるので、視聴者は最新の情報をダウンロード可能で、また、時間限定でダウンロード可能である。
【００３４】
データ変換サーバ１１０は、接続機器情報１１２に従って必要な複数種類分のコンテンツへ変換し、コンテンツサーバ１０７に格納する。（周辺機器に関する各種情報に応じた種類分の複数のコンテンツ群１０８）
上記コンテンツサーバ１０７にコンテンツが準備された状況で、視聴者は、放送局１０１から放送される放送データからコンテンツの格納先であるＵＲＬ情報を認識する。
【００３５】
デジタルＴＶ受信機１０２は、前記ＵＲＬ情報により、インターネットを介して、コンテンツサーバ１０７にアクセスし、プリンタの接続機器情報１１２も転送する。
【００３６】
プリンタの接続機器情報１１２は、機種名、解像度、紙サイズ、フォント種類、フォントサイズ等である。
【００３７】
転送されたプリンタの接続機器情報１１２と、コンテンツサーバ１０７内の機種データ１０９とを照合することにより、周辺機器に関する各種情報に応じた種類分の複数のコンテンツ群１０８から、最適なコンテンツを選択し、インターネットを介し、デジタルＴＶ受信機１０２へ配信する。
【００３８】
デジタルＴＶ受信機１０２へ配信されたコンテンツは、プリンタ１０６に転送されて、印刷される。
【００３９】
上記実施例では、周辺機器としてプリンタで説明したが、同様に、ＰＤＡ、携帯電話へもデータ転送可能である。
【００４０】
（第２の実施形態）
図２は、本発明の実施形態に係るインターネットと連動したテレビ放送広告システムの構成を示すブロック図であり、コンテンツデータを周辺機器情報に対応したフォーマットにデータ変換する場合のブロック図である。
【００４１】
図２において、インターネットと連動したテレビ放送広告システムは、放送局２０１と、デジタルＴＶ受信機２０２と、ＰＤＡ２０４と、携帯電話２０５と、ゲーム機２０６と、プリンタ２０７と、コンテンツサーバ２１３と、機種データ２０９と、広告主２１２と、接続機器情報２０３、データ変換領域２１０、データ保管領域２１１で構成される。
【００４２】
デジタルＴＶ受信機２０２に、接続機器情報２０３が格納されている。
【００４３】
接続機器情報としては、例えば、プリンタであれば、機種名、解像度、紙サイズ、フォント種類、フォントサイズ等が格納されている。
【００４４】
また、デジタルＴＶ受信機２０３には、有線回線、無線回線などを介して、ＰＤＡ２０４と、携帯電話２０５と、ゲーム機２０６と、プリンタ２０７等の周辺機器が接続される。
【００４５】
コンテンツサーバ２１３に、機種データ２０９と、データ変換領域２１０、データ保管領域２１１で構成される。
【００４６】
次に、図２に従って、動作の説明をする。
【００４７】
広告主２１２はデータ保管領域２１１へコンテンツデータをアップロードする。
【００４８】
アップロードは、常に可能で、新しい情報を更新可能であるので、視聴者は最新の情報をダウンロード可能で、また、時間限定でダウンロード可能である。
【００４９】
上記コンテンツサーバ２１３にコンテンツが準備された状況で、視聴者は、放送局２０１から放送される放送データからコンテンツの格納先であるＵＲＬ情報を認識する。
【００５０】
デジタルＴＶ受信機２０２は、前記ＵＲＬ情報により、インターネットを介して、コンテンツサーバ２１３にアクセスし、プリンタの接続機器情報２０３も転送する。
【００５１】
プリンタの接続機器情報２０３は、機種名、解像度、紙サイズ、フォント種類、フォントサイズ等である。
【００５２】
転送されたプリンタの接続機器情報２０３と、コンテンツサーバ２１３内の機種データ２０９とを照合し、接続機器情報を特定する。
【００５３】
データ保管領域２１１に格納されたコンテンツデータをデータ変換領域２１０へ転送し、データ変換領域２１０において、上記特定されたプリンタの接続機器情報２０３に応じたデータ変換を行う。
【００５４】
データ変換されたコンテンツデータを、インターネットを介し、デジタルＴＶ受信機２０３へ配信する。
【００５５】
デジタルＴＶ受信機２０３へ配信されたコンテンツは、プリンタ２０７に転送されて、印刷される。
【００５６】
上記実施例では、周辺機器としてプリンタで説明したが、同様に、ＰＤＡ、携帯電話へもデータ転送可能である。
【００５７】
（第３の実施形態）
図３は、本発明の実施形態に係るインターネットと連動したテレビ放送広告システムの構成を示すブロック図であり、テレビ受信装置へダウンロードされた回数をコンテンツサーバ上で集計することにより放送局が前記各提供者へ広告料金を請求する場合のブロック図である。
【００５８】
図３において、インターネットと連動したテレビ放送広告システムは、放送局３０１と、デジタルＴＶ受信機３０２と、ＰＤＡ３０４と、携帯電話３０５と、ゲーム機３０６と、プリンタ３０７と、コンテンツサーバ３０８と、広告主３０９と、接続機器情報３０３で構成される。
【００５９】
デジタルＴＶ受信機３０２に、接続機器情報３０３が格納されている。
【００６０】
接続機器情報としては、例えば、プリンタであれば、機種名、解像度、紙サイズ、フォント種類、フォントサイズ等が格納されている。
【００６１】
また、デジタルＴＶ受信機３０２には、有線回線、無線回線などを介して、ＰＤＡ３０４と、携帯電話３０５と、ゲーム機３０６と、プリンタ３０７等の周辺機器が接続される。
【００６２】
次に、図３に従って、動作の説明をする。
【００６３】
コンテンツの流れについては、図１，２で説明したので、省略し、ダウンロード回数集計を中心に説明する。
【００６４】
コンテンツサーバ３０８は、デジタルＴＶ受信機３０２へのダウンロード回数を集計し、放送局３０１にインターネットを介し、送信する。
【００６５】
放送局３０１は、広告主３０９に広告料金を請求し、広告主３０９は放送局３０１に料金を支払う。
【００６６】
【発明の効果】
視聴者はテレビ放送広告を見ることで地域別・時間別などの詳細情報が受信機に接続された機器で利用でき、プリントしたりＰＤＡなどで保存して情報を持ち歩きなどが出来るようになり、書きとめたりチラシを切り抜いたりする手間が省ける。
【００６７】
広告主はテレビ広告の内容を変更することなくリアルタイムな情報をインターネットで告知できるのでタイムリーな販売促進が行える。
【００６８】
又、時間や地域で広告内容を変更したデータをサーバにアップロードするだけなので広告制作費が削減できる。
【００６９】
又、視聴者のダウンロード数がわかるため広告の効果を迅速に知ることが可能になり効果的な広告が行える。
【図面の簡単な説明】
【図１】本発明の実施形態に係るインターネットと連動したテレビ放送広告システムの構成において、テレビ受信装置に接続される周辺機器に関する各種情報に応じた種類分の複数のコンテンツを蓄積する場合のブロック図
【図２】本発明の実施形態に係るインターネットと連動したテレビ放送広告システムの構成において、コンテンツデータを周辺機器情報に対応したフォーマットにデータ変換する場合のブロック図
【図３】本発明の実施形態に係るインターネットと連動したテレビ放送広告システムの構成において、テレビ受信装置へダウンロードされた回数をコンテンツサーバ上で集計することにより放送局が前記各提供者へ広告料金を請求する場合のブロック図
【符号の説明】
１０１  放送局
１０２  デジタルＴＶ受信機
１０３  ＰＤＡ
１０４  携帯電話
１０５  ゲーム機
１０６  プリンタ
１０７  コンテンツサーバ
１０８  周辺機器に関する各種情報に応じた種類分の複数のコンテンツ群
１０９  機種データ
１１０  データ変換サーバ
１１１  広告主
１１２  接続機器情報
２０１  放送局
２０２  デジタルＴＶ受信機
２０３  接続機器情報
２０４  ＰＤＡ
２０５  携帯電話
２０６  ゲーム機
２０７  プリンタ
２０９  機種データ
２１０  データ変換領域
２１１  データ保管領域
２１２  広告主
２１３  コンテンツサーバ
３０１  放送局
３０２  デジタルＴＶ受信機
３０３  接続機器情報
３０４  ＰＤＡ
３０５  携帯電話
３０６  ゲーム機
３０７  プリンタ
３０８  コンテンツサーバ
３０９  広告主
【図１】
2004186847.tif 000003
【図２】
2004186847.tif 000004
【図３】
2004186847.tif 000005